(57)【特許請求の範囲】
【請求項１】
情報機器と表示装置との両方から使用可能なデバイスが内蔵された表示装置において、
該情報機器との間でデータ通信を可能とするデータ通信手段と、
該デバイスの使用状態を検出する使用状態検出手段と、
該情報機器が該デバイスを使用する場合に、該使用状態の検出結果に応じて、該デバイスの使用を制限する使用制限手段とを備え、
該使用制限手段は、該デバイスを該情報機器との同時使用時に、該デバイスの設定変更を制限する表示装置。
【請求項２】
前記デバイスがテレビチューナであるときに、前記使用制限手段はチャンネル切換えを制限するようにした請求項１記載の表示装置。
【請求項３】
前記デバイスの設定変更の制限を解除する使用制限解除手段と、デバイスの設定変更制限動作および、該使用制限解除手段による設定変更制限の解除動作の何れかを選択可能とする選択画面を表示画面上に表示する表示制御手段を有した請求項１記載の表示装置。
【請求項４】
前記テレビチューナで受信したテレビジョン映像信号および情報機器からの表示データの何れかを選択的に表示画面上に表示すると共に、該テレビジョン映像信号を該情報機器側に送信する請求項２に記載の表示装置と、
該表示装置からのテレビジョン映像信号を記憶する情報記憶手段、該情報記憶手段に記憶したテレビジョン映像信号を読み出して該表示装置に送信する該情報機器とを備えた録画再生システムであって、
前記表示装置は、該テレビチューナで受信したテレビジョン映像信号を表示画面上に表示しつつ、該情報機器に送信している時に、該テレビチューナのチャンネルの切換えを制限することを特徴とする録画再生システム。
【請求項５】
請求項２に記載の表示装置によって前記テレビチューナで受信したテレビジョン映像信号および情報機器からの表示データの何れかを選択的に表示画面上に表示すると共に、該テレビジョン映像信号を該情報機器側に送信し、
該情報機器によって、表示装置からのテレビジョン映像信号を記憶し、該記憶されたテレビジョン映像信号を読み出して該表示装置に送信する録画再生方法であって、
該表示装置は、該テレビチューナで受信したテレビジョン映像信号を表示画面上に表示しつつ、該情報機器に送信している時に、該テレビチューナのチャンネルの切換えを制限する録画再生方法。
【発明の詳細な説明】
【０００１】
【発明の属する技術分野】
本発明は、画像データを取り込んで記録可能であるパーソナルコンピュータ（以下ＰＣという）などの情報機器と接続し、この情報機器からの画像データを画面表示可能とし、また、テレビジョン（以下ＴＶという）画像も表示可能とする液晶ディスプレイモニタなどの表示装置および、これを用いた録画再生システムおよび録画再生方法に関する。
【０００２】
【従来の技術】
従来、液晶ディスプレイモニタなどの表示装置に、ＰＣ画面を出力する以外の目的でデバイスを搭載することはあっても、そのデバイスをＰＣと表示装置で同時に使用することはなかった。ところが、ＰＣと表示装置との両方から独立に使用できるデバイスを表示装置側に搭載した場合には、録画時にその録画番組を視聴する場合など、ＰＣと表示装置がＴＶチューナを同時に使用することが考えられる。
【０００３】
このようなＴＶチューナをＰＣと表示装置で共有することに関する技術としては、特開平８−３４０５００号公報が提案されており、これは、コンピュータとコンピュータ内蔵のＴＶチューナで電源を共有するためのものである。
【０００４】
【発明が解決しようとする課題】
上記従来の構成では、表示装置に内蔵のＴＶチューナなどのデバイスがＰＣからも使用可能である場合に、ＰＣからＴＶチューナを異なるチャンネルで使うようにしても、ＴＶチューナが既に表示装置側で使わておりＰＣ側と共有できない場合には、ＰＣ側からは使うことはできない。このような場合に、ＰＣ側からＴＶチューナを無理に使うようにすると、それまで使用していた表示装置で誤動作を起こしてしまう。
【０００５】
本発明は、上記事情に鑑みて為されたもので、ＰＣとの間でデバイスを使用する場合の誤動作を防止することができる表示装置および、これを用いた録画再生システムおよび録画再生方法を提供することを目的とする。
【０００６】
【課題を解決するための手段】
本発明の表示装置は、情報機器から独立して使用可能とするデバイスが内蔵された表示装置において、情報機器との間でデータ通信を可能とするデータ通信手段と、デバイスの動作状態を検出する動作状態検出手段と、デバイスを使用する場合に、これを検出して、動作状態の検出結果に応じてデバイスの使用を制限する使用制限手段とを備えたものであり、そのことにより上記目的が達成される。この使用制限手段は、情報機器および本表示装置がデバイスを同時に使用できる場合（例えば録画時にその録画しているＴＶ信号を表示する場合）以外は、その一方がデバイスを使用している場合に、他方がデバイスを使用するのを制限するものである。
【０００７】
この構成により、情報機器または表示装置がデバイスを使用する場合に、これを検出してデバイスの動作状態を検出し、その動作状態の検出結果に応じてデバイスの使用を制限するので、情報機器と表示装置との間でデバイスの使用が競合しても、後から使用が発生した情報機器または表示装置によるデバイスの使用が制限されてそれによる誤動作が防止される。
【０００８】
また、好ましくは、本発明の表示装置における動作状態検出手段は、動作状態として、デバイスの電源状態および使用状態のうち少なくとも何れかの状態内容を検出する。この動作状態とは、例えば、デバイスの電源入状態および電源切状態、情報機器からの使用状態、本表示装置からの使用状態などである。
【０００９】
この構成により、動作状態として、デバイスに電源が供給されているかどうかを調べ、デバイスに電源が供給されていない場合には、デバイスを使用する情報機器や本表示装置側で誤動作を起こしてしまう。また、デバイスに電源が供給されていても、本表示装置がデバイスを使用していた場合には、勝手に情報機器側からデバイスを使用してしまうと、本表示装置側で誤動作を起こしてしまうし、逆に、情報機器がデバイスを使用していた場合には、デバイスを本表示装置が使用してしまうと、情報機器側で誤動作を起こしてしまう。このように、デバイスの使用が競合するときに、後から使用が発生した情報機器または表示装置によるデバイスの使用を制限すれば、使用競合による誤動作が防止される。
【００１０】
さらに、好ましくは、本発明の表示装置において、動作状態検出手段が電源切状態であると検出した場合に、デバイスの電源を入状態に制御する電源制御手段と、その後に動作状態検出手段が電源入状態であると検出した場合に、デバイスの使用制限を解除する第１使用制限解除手段とを有する。
【００１１】
この構成により、デバイスが情報機器からも使用が可能な場合に、表示装置内のデバイスに電源を外部から投入することが可能となり、デバイスに電源が投入されていないことによる誤動作が防止される。
【００１２】
さらに、好ましくは、本発明の表示装置において、動作状態検出手段が検出した動作状態情報を、データ通信手段を介して送信制御する動作状態送信制御手段を有する。
【００１３】
この構成により、情報機器側において表示装置側のデバイスの動作状態情報が得られるので、情報機器側にて使用制限処置を講じることが可能となる。
【００１４】
さらに、好ましくは、本発明の表示装置において、デバイスの使用制限を解除する第２使用制限解除手段と、デバイスの使用制限動作および、第２使用制限解除手段による使用制限解除動作の何れかを選択可能とする選択画面を表示画面上に表示する第１表示制御手段を有する。
【００１５】
この構成により、ユーザに対して、デバイスの使用権を情報機器と表示装置の何れに持たせるかの選択権を与え、ユーザの便宜を図ることができる。
【００１６】
さらに、好ましくは、本発明の表示装置において、動作状態検出手段が監視したデバイスの動作状態を動作状態記憶手段に記憶制御する動作状態記憶制御手段を有し、動作状態検出必要時に動作状態検出手段が動作状態記憶手段内のデバイスの動作状態を参照する。
【００１７】
この構成により、デバイスの動作状況を監視する際に、動作状態検出必要時に監視を行ったのでは時間がかかってしまうので、動作状態検出手段が、常時、動作状態を検出して動作状態記憶手段にその動作状態を記憶し、それを参照するようにすれば、使用制限手段の使用制限速度が速くかつ正確であり使用制限制御の効率化が図られる。
【００１８】
さらに、好ましくは、本発明の表示装置において、使用制限手段は、電源遮断指示時に、情報機器がデバイスを使用しているときには電源遮断を制限する。
【００１９】
この構成により、デバイスは表示装置に内蔵されているので、表示装置の電源とデバイスの電源とが連動している場合が多い。この場合に、情報機器がデバイスを使用しているときに表示装置の電源を切にしてしまうと、情報機器が誤動作を起こしてしまうが、表示装置側の電源遮断指示時に、情報機器側がデバイスを使用していれば、その電源遮断を制限するようにすれば、情報機器が誤動作するのを防止することが可能となる。
【００２０】
さらに、好ましくは、本発明の表示装置において、電源遮断指示時に、強制的に電源を切にするか電源入状態を続行するかを選択可能とする選択画面を表示画面上に表示する第２表示制御手段を有する。
【００２１】
この構成により、デバイスの使用状況によってはユーザの便宜を損ねてしまう可能性があるので、電源を強制的に切にするかどうかの選択権をユーザに与えることで、ユーザに対して便宜を図ることが可能となる。
【００２２】
さらに、好ましくは、本発明の表示装置において、使用制限手段は、デバイスを情報機器との同時使用時に、デバイスの設定変更を制限する。
【００２３】
この構成により、例えば、ＴＶ受信手段からのＴＶ受信信号を表示画面上に表示すると共に、ＴＶ受信信号を録画用に画像圧縮している場合であって、デバイスとしてＴＶ受信手段を情報機器と表示装置とで共通して使用している際に、情報機器と表示装置との一方が勝手にデバイスの設定変更を指示した場合に、その設定変更に制限を加えるようにしたので、他方が誤動作することが防止される。
【００２４】
さらに、好ましくは、本発明の表示装置において、デバイスの設定変更の制限を解除する第３使用制限解除手段と、デバイスの設定変更制限動作および、第３使用制限解除手段による設定変更制限の解除動作の何れかを選択可能とする選択画面を表示画面上に表示する第３表示制御手段を有する。
【００２５】
この構成により、ユーザに対して強制的にデバイスの設定を変える選択権を与え、ユーザの便宜を図る。
【００２６】
さらに、好ましくは、本発明の録画再生システムは、少なくとも情報機器からの表示データおよびテレビジョン受信信号の何れかを表示画面上に表示可能とすると共に、テレビジョン受信信号を録画時にデータ圧縮して情報機器側にデータ送信する請求項１〜１０の何れかに記載の表示装置と、この表示装置からの圧縮データを記憶する第２情報記憶手段、この第２情報記憶手段から圧縮データを再生して圧縮前のデータに解凍する解凍手段および、この解凍手段で解凍したデータを送信可能とする第２データ通信手段を有する情報機器とを備える。また、好ましくは、本発明の録画再生システムは、前記テレビチューナで受信したテレビジョン映像信号および情報機器からの表示データの何れかを選択的に表示画面上に表示すると共に、該テレビジョン映像信号を該情報機器側に送信する本発明の上記表示装置と、該表示装置からのテレビジョン映像信号を記憶する情報記憶手段、該情報記憶手段に記憶したテレビジョン映像信号を読み出して該表示装置に送信する該情報機器とを備えた録画再生システムであって、前記表示装置は、該テレビチューナで受信したテレビジョン映像信号を表示画面上に表示しつつ、該情報機器に送信している時に、該テレビチューナのチャンネルの切換えを制限する。また、好ましくは、本発明の録画再生方法は、本発明の上記表示装置によって前記テレビチューナで受信したテレビジョン映像信号および情報機器からの表示データの何れかを選択的に表示画面上に表示すると共に、該テレビジョン映像信号を該情報機器側に送信し、該情報機器によって、表示装置からのテレビジョン映像信号を記憶し、該記憶されたテレビジョン映像信号を読み出して該表示装置に送信する録画再生方法であって、該表示装置は、該テレビチューナで受信したテレビジョン映像信号を表示画面上に表示しつつ、該情報機器に送信している時に、該テレビチューナのチャンネルの切換えを制限する。
【００２７】
この構成により、録画のために、情報機器または表示装置がデバイスを使用する場合にも、上記と同様に、これを検出してデバイスの動作状態を検出し、その検出結果に応じてデバイスの使用を制限するので、情報機器との間でデバイスの使用が競合しても、後から使用が発生した情報機器または表示装置によるデバイスの使用が制限されて誤動作が防止される。
【００２８】
【発明の実施の形態】
以下、本発明の表示装置およびこれを用いた録画再生システムの実施形態について図面を参照しながら説明する。
【００２９】
図１は、本発明の一実施形態における表示装置およびこれを用いた録画再生システムの外観構成を示す斜視図であり、図２は図１のコンピュータ表示端末装置の断面図である。図１および図２において、録画再生システム１０は、情報機器としてのコンピュータ本体２０と、コンピュータ表示端末装置としてのモニタ装置３０と、コンピュータ本体２０とモニタ装置３０間に接続されたデータ通信用のコンピュータ信号ケーブル４０とを有している。
【００３０】
コンピュータ本体２０は、一つの独立した筐体で構成され、独立した電源装置（図示せず）によって駆動するパーソナルコンピュータ（以下ＰＣという）で構成されており、予め種々のデータ処理、インターネット、電子メール、画像編集などのアプリケーションプログラムが記憶されており、これに加えて、詳細に後述する本発明の録画処理プログラムおよび録画再生処理プログラムがインストールされているものである。
【００３１】
モニタ装置３０は、一つの独立した筐体で構成され、コンピュータ本体２０とは独立した電源装置（図示せず）によって駆動されるものであり、表示手段としての液晶表示パネル３１と、モニタ制御装置３２と、入力操作手段としての入力装置３５とを有している。
【００３２】
液晶表示パネル３１は、図３にて後述するバックライトユニット３１１とＴＦＴ液晶表示ユニット（図示せず）を持つ画像表示部が、チルトヒンジ機構３６によりスタンド３７に対して上下に回動自在に軸支されることにより、その視認角度の操作性の向上を図っている。
【００３３】
モニタ制御装置３２は、録画制御用、録画再生制御用、ＴＶ視聴制御用さらには電源供給管理用の制御ボードユニットが内蔵されている。
【００３４】
入力装置３５は、各種操作指令を入力可能とするリモコン（図示せず）、操作パネル３３およびマウス３４などで構成され、ＴＶ受信局を選局するＴＶのチャンネル変更指示や、ＴＶ表示とＰＣ信号表示の表示切替指示などの機能を有している。
【００３５】
操作パネル３３には、ＴＶ受信機の選局ボタン、音量ボタン、ＡＶ周辺機器の選択ボタン、表示環境設定ボタンおよび、図示しないリモコン受信器などが設けられている。
【００３６】
コンピュータ信号ケーブル４０は、Ｄ−ＳＵＢコネクタ間を接続するアナログＲＧＢの表示データ信号ケーブルと、オーデイオコネクタ間を接続するオーデイオ信号ケーブルと、ＵＳＢ（Universal Serial Bus；ユニバーサルシリアルバス）ポート（ＵＳＢハブ）間を接続するＵＳＢケーブルとを有している。
【００３７】
図３は、図１の録画再生システムの要部ハード構成を示すブロック図である。図３において、コンピュータ本体２０のＵＳＢＩ／Ｆ（ＵＳＢインターフェイス）２１とモニタ制御装置３２のＵＳＢＩ／Ｆ３２０との間でデータ通信可能に構成されており、例えば録画用の圧縮データがモニタ制御装置３２からコンピュータ本体２０に送信される。また、コンピュータ本体２０の表示ＲＧＢＩ／Ｆ２２はモニタ制御装置３２のＡ／Ｄ変換装置３２１に接続され、録画データを解凍して得た表示データがＡ／Ｄ変換装置３２１側に送信される。
【００３８】
コンピュータ本体２０は、詳細には図示していないが、ＣＰＵモジュールと、表示コントローラと、ＶＲＡＭと、通信用のモデム装置と、ＰＣＩ（Peripheral Component Interconnect）インターフェイスと、Ｉ／Ｏコントローラと、録画情報を記憶可能とする第２情報記憶手段（可読記録媒体）としてのＨＤＤ２３と、ＢＩＯＳ−ＲＯＭと、キーコントローラと、音声情報をオーデイオ出力端子より出力してモニタ装置３０にて音声再生するためのオーディオコントローラとを有している。
【００３９】
ＣＰＵモジュールは、このシステム全体の動作制御およびデータ処理を実行するコンピュータ制御手段である。
【００４０】
ＨＤＤ２３は、このシステムの主記憶部として使用されるものであり、後述する各プロセスにおける、ＨＤＤ２３やＵＳＢＩ／Ｆ２１，３２０経由のＭＰＥＧ２エンコーダ３２７などのデバイスヘのアクセスを管理するオペレーティングシステム（ＯＳ）２４、処理対象のアプリケーションプログラムおよび、このアプリケーションプログラムによって作成されたユーザデータなどが格納されるようになっている。このアプリケーションプログラムの一つとして、本発明を実現するための録画処理プログラムおよび録画再生処理プログラムが、主メモリ（ＨＤＤ２３）にインストールされる。また、この録画処理プログラムには、録画予約およびその実行を行う録画予約処理（録画設定処理）などの録画管理プロセス２５が含まれている。録画管理プロセス２５は、録画予約した録画情報、例えば録画開始日および時刻、録画終了日および時刻、チャンネル情報、圧縮レートに対応した録画密度情報、管理情報などを記憶する録画情報テーブルを有している。また、録画管理プロセス２５には、録画予約に際して、インターネットによって配信される番組内容を含む番組情報の利用により設定可能になっており、この番組情報と管理情報との関連付けも記憶されている。主メモリ（ＨＤＤ２３）内の録画再生処理プログラムとＣＰＵモジュールにより、圧縮データを元に戻す解凍手段が構成されている。なお、ハードウエアで構成される解凍手段としてのＭＰＥＧ２デコーダコントローラを周辺デバイスとして組み込む方法もあるが、この場合には、アプリケーションプログラムにはＭＰＥＧ２デコーダを必要としない。
【００４１】
この録画処理プログラムは、ＧＵＩ（Graphical  User  Interface；グラフィカル・ユーザ・インターフェイス）を利用して受信局の選局、録画および録画予約の操作指令を検出するステップ（操作指令検出手段）と、この検出した操作指令に基づいて、ＵＳＢを介してモニタ装置３０にコマンド送信（録画設定情報送信）するステップ（第２データ通信手段）と、モニタ装置３０からＵＳＢを介して入力される、ＭＰＥＧ２フォーマットで圧縮された映像情報を、順次、ＨＤＤ２３に記憶させるステップ（記憶制御手段）とを有している。
【００４２】
また、録画再生処理プログラムは、ＧＵＩを利用して録画再生の操作指令を検出するステップ（操作指令検出手段）と、この操作指令に基づいて、ＨＤＤ２３に記憶した圧縮データの映像情報を上記ＭＰＥＧ２デコーダプロセス２６によって元のデータに解凍するステップ（解凍手段）と、解凍した表示データを元の表示データとしてモニタ装置３０側に送信出力すると共に、音声データもオーデイオ出力端子より送信出力するステップ（第２データ通信手段）とを有している。なお、ＰＣから出力される表示データとしては、通常のワープロ、表計算、図形処理の表示データを出力することは当然のこととして、これらのデータと映像再生した映像データと合成（ピクチャ・イン・ピクチャ）して出力できることは当然のことである。
【００４３】
表示コントローラは、ＶＲＡＭに描画されたデータをアナログＲＧＢの表示データとして出力してモニタ装置３０側に表示させるための表示制御処理を行うものである。
【００４４】
ＰＣＩインターフェイスには、ＨＤＤ２３、ＣＤ−ＲＯＭドライブ，ＦＤＤドライブなどの制御部と、ＵＳＢスロットに接続されるＵＳＢデバイスコントローラなどが含まれている。
【００４５】
Ｉ／Ｏコントローラは、各種Ｉ／Ｏデバイスを制御するためのものである。
【００４６】
次に、モニタ制御装置３２は、表示ＲＧＢＩ／Ｆ（Ｉ／Ｆはインターフェイスを示す）から表示データが入力されるＡ／Ｄ変換装置３２１と、グラフィックコントローラ３２２と、ＬＣＤドライバ３２３と、バックライトユニット３１１用のインバータ３２４と、ＴＶ受信手段としてのＴＶチューナ３２５と、ビデオデコーダ３２６と、データ圧縮手段としてのＭＰＥＧ（Mortion  Picture  Expert  Group；エムペグ）２エンコーダ３２７と、ＵＳＢＩ／Ｆ３２０と、電源制御手段としての電源コントローラ３２８と、デバイス使用制御回路３２９と、各部を制御する制御手段３３０と、制御手段３３０が各部を制御する際に用いるデータを格納した情報記憶手段としてのメモリ３３１とを有している。
【００４７】
ＵＳＢＩ／Ｆ３２０は、情報機器としてのＰＣに対して、ＭＰＥＧ２エンコーダ３２７からの圧縮データを送出し、また、ＰＣ側からキャプチャーサイズ、ビットレートなどの指定を行うことができるものである。
【００４８】
Ａ／Ｄ変換装置３２１は、ＰＣからの表示データであるアナログＲＧＢ信号をデジタルＲＧＢ信号に変換するものである。
【００４９】
グラフィックコントローラ３２２は、入力デジタル画像信号を、液晶表示パネル３１の表示画素数に合わせて表示できるように変換するものであり、色空間変換機能、ＩＰ（Interlace to Progressive）変換、スケーリング機能、ＦＲＣ（FrameRateConversion）機能、γ補正機能、色補正機能および同期検出機能を有し、デジタルＲＧＢ信号、デジタルＹＵＶビデオ信号から生成した表示データを１６ビットの表示データバス３２２ａに出力するものである。
【００５０】
ＬＣＤドライバ３２３は、グラフィックコントローラ３２２の出力表示データを入力し、液晶表示パネル３１の画像表示を制御する駆動回路である。このＬＣＤドライバ３２３とグラフィックコントローラ３２２とにより表示制御手段が構成されている。
【００５１】
インバータ３２４は、バックライトユニット３１１に対して点灯制御を行うものである。
【００５２】
ＴＶチューナ３２５は、コンピュータ本体２０（ＰＣ）からのＴＶ受信局の選局情報、またはリモコンなどの選局操作手段（入力装置３５）からの選局情報に応答したチャンネル設定情報を基に、後述する制御手段３３０によりＩＩＣバス３３０ａを介して受信局の選局制御が実行されるものである。また、ＴＶチューナ３２５は、アンテナ端子に接続され、選局制御によってアンテナ端子からの所望のＴＶ信号が選局されて受信され、このＴＶ受信信号よりＮＴＳＣ画像信号を検波出力して信号ライン３２５ａを介してビデオデコーダ３２６に供給するものである。また、ＴＶチューナ３２５は、ＴＶ受信信号より音声周波数信号が分離出力され、その音声周波数信号を、後述する音声処理回路（図示せず）に供給するものである。
【００５３】
ビデオデコーダ３２６は、ＴＶチューナ３２５から供給されるＮＴＳＣ画像信号および、図示していないが、外部ビデオ機器を接続したビデオ入力端子からのビデオ信号の何れかを選択し、信号ライン３２６ａにＹＵＶデジタルビデオ信号を出力するものである。また、ビデオデコーダ３２６には、フィルタ回路、同期分離回路、ＹＣ分離回路、Ａ／Ｄコンバ―タ回路、色情報調整回路、ＡＧＣ回路、カラーデコーダ回路、水平垂直同期化回路および所望の画像サイズ決定のスケーリング回路などを有している。なお、ビデオデコーダ３２６は、ＭＰＥＧ２エンコーダ３２７とグラフィックコントローラ３２２との調停処理によって、信号ライン３２６ａ，３２６ｂに出力するＹＵＶデジタルビデオ信号を各々独立して出力制御でき、さらに各々独立して画像サイズのスケーリング処理が行えるようになっている。
【００５４】
ＭＰＥＧ２エンコーダ３２７は、入力されたＮＴＳＣ画像信号を既知のＭＰＥＧ２形式にてデータ圧縮を行うと共に、デジタル化された音声信号も同様にデータ圧縮を行うものである。
【００５５】
電源コントローラ３２８は、ＡＣアダプタおよびＤＣ／ＤＣコンバータで構成される電源回路からの電源供給を制御する電源制御手段であり、入力装置３５からの入力指令や遮断指令に応じて常時通電部１１０への電源供給を制御する一方、常時通電部１１０以外のデバイスへの電源供給が必要になった場合に、常時通電部１１０以外に、デバイス使用制御回路３２９のストレージ（使用状況情報エリア）内に保持した動作状態情報（表１）が電源切状態のときに、常時通電部１１０以外のデバイスにも電源供給制御を行うようにしてもよい。
【００５６】
【表１】
0004798676.tif 000002
デバイス使用制御回路３２９は、ＰＣとの間でデバイス使用制御に関わるデータ通信を可能とするデータ通信手段３２９Ａと、デバイスとして例えばＴＶチューナ３２５などの動作状態を検出する動作状態検出手段３２９Ｂと、例えばＰＣがＴＶチューナ３２５を選局して使用する場合などに、これを検出し、その検出した動作状態情報に基づいて、ＴＶチューナ３２５の使用を制限する使用制限手段３２９Ｃと、使用制限手段３２９Ｃによるデバイスの使用制限を解除する使用制限解除手段３２９Ｄとを有し、例えばＴＶチューナ３２５などのデバイスの使用状況を調べ、この使用権を決定し、それに基づいてＴＶチューナ３２５などのデバイスの使用を制御し、後述する制御手段３３０やＰＣに情報連絡するものである。また、デバイス使用制御回路３２９にはストレージ（動作状態情報記憶手段；使用状況情報エリア）を有しており、上記表１に示すような動作状態情報を動作状態検出手段３２９Ｂが常に監視してストレージ内にデータを更新して保持しておく。ストレージには、動作状態検出手段３２９Ｂから参照される上記表１のようなＴＶチューナ３２５などのデバイスの使用状況情報や電源状況情報を含む動作状態情報が格納されている。
【００５７】
動作状態検出手段３２９Ｂは、動作状態として、ＴＶチューナ３２５およびＭＰＥＧ２エンコーダ３２７などのデバイスの電源切状態および電源入状態、ＰＣおよび表示装置３０からのＴＶチューナ３２５およびＭＰＥＧ２エンコーダ３２７などのデバイスの使用状態のうち少なくとも何れかの状態内容を調べるものである。
【００５８】
使用制限手段３２９Ｃは、ＰＣおよびモニタ装置３０が、録画時などＴＶチューナ３２５などのデバイスを同時に使用できる場合以外は、ＰＣおよびモニタ装置３０の一方がデバイスを使用している場合に、他方がデバイスを使用するのを制限する通常使用制限手段と、電源遮断指示時に、情報機器がデバイスを使用しているときには電源遮断を制限する電源遮断制限手段と、ＴＶチューナ３２５などのデバイスを情報機器と同時に利用するときに、デバイスの設定変更を制限する設定変更制限手段とを有している。
【００５９】
使用制限解除手段は、例えば動作状態検出手段３２９Ｂが電源切状態であると検出した場合に、ＴＶチューナ３２５などの常時通電部１１０以外に対して、電源コントローラ３２８を介して電源を入状態に制御した後に、動作状態検出手段３２９Ｂが電源断状態から電源入状態であると検出した場合に、ＴＶチューナ３２５などのデバイスの使用制限を解除する第１使用制限解除手段と、ＴＶチューナ３２５などのデバイスの使用制限および、電源遮断制限を解除する第２使用制限解除手段と、ＴＶチューナ３２５などのデバイスの設定変更（ＴＶチューナ３２５の場合には選局変更）の制限を解除する第３使用制限解除手段とを有するものである。
【００６０】
制御手段３３０は、ＣＰＵ（中央演算処理装置）で構成され、全体制御手段として、メモリ３３１内の制御プログラムに基づいて、ＩＩＣバス３３０ａを介して、Ａ／Ｄ変換装置３２１に対してＲＧＢカラー調整などを行い、ＬＣＤドライバ３２３に対して駆動制御し、インバータ３２４に対してバックライトユニット３１１の輝度の調整を行い、ＴＶチューナ３２５に対して選局動作を行い、ビデオデコーダ３２６に対してカラー調整などの各種制御を行い、また、１６ビットデータバス３３０ｂを介して、グラフィックコントローラ３２２に対して解像度その他の各種調整を行い、入力装置３５からのＴＶ表示とＰＣ信号表示との切替指示、ＴＶのチャンネル変更指示およびその他の操作指示を読み取りその指示に応じて各部を制御し、ＭＰＥＧ２エンコーダ３２７に対してエンコードを指示する駆動制御を行い、メモリ３３１に対してデータの読み取りおよび書き込みを行うように全体制御が為される。
【００６１】
特に、制御手段３３０は、制御プログラムに基づいて、ＰＣからのＴＶ受信局の選局情報に応答して受信局を決定し、ＴＶチューナ３２５に対して選局設定を行う選局制御手段３３０Ａと、ＰＣとの間でのデータ通信、例えばＰＣから録画指令情報などを受信するデータ通信手段３３０Ｂ（データ通信手段）と、ユーザが選択可能とする選択画面を表示画面上に重ねてＯＳＤ表示する表示制御手段３３０Ｃとを備えている。
【００６２】
表示制御手段３３０Ｃは、ＴＶチューナ３２５などのデバイスの使用制限動作および、その使用制限の解除動作の何れかを選択可能とする選択画面を表示画面上に表示する第１表示制御手段と、電源遮断指示時に、強制的に電源を切にするか電源入状態を続行するかを選択可能とする選択画面を表示画面上に表示する第２表示制御手段と、ＴＶチューナ３２５などのデバイスの設定変更制限動作および、デバイスの設定変更制限の解除動作の何れかを選択可能とする選択画面を表示画面上に表示する第３表示制御手段とを有している。
【００６３】
メモリ３３１には、制御手段３３０が動作するための制御プログラムおよび各種データが格納されている。制御プログラムとしては、ＴＶチューナ３２５の選局などを行うチューナ管理プロセス（図示せず）、各部や各装置への電源供給／停止の管理を行う電源管理プロセス、ＴＶ表示とＰＣ信号表示の切替えを行う画面表示切替えプロセス、メッセージを液晶表示パネル３１に表示するＯＳＤ表示プロセス、ＰＣの動作状態を読み取る情報機器状態読み取りプロセス、録画管理情報をＰＣから受信し、編集、保持および送信処理を行う録画管理情報処理プロセスなどを有している。
【００６４】
なお、音声再生処理については、音声処理回路が、音声入力端子からの音声信号をＤ／Ａ変換した後のアナログ音声信号を音声コントローラに出力し、音声コントローラは、音質・音量調整、サラウンド制御等を行った後のアナログ音声信号を増幅回路に出力し、その増幅したアナログ音声信号をスピーカに出力するものである。また、音声処理回路は、ＴＶチューナ３２５に接続されており、上記構成に加えて、ＴＶチューナ３２５から供給された音声周波数信号をＡ／Ｄ変換してさらに復調し、そのデジタル化された音声信号はＭＰＥＧ２エンコーダ３２７に供給され、Ａ／Ｄ変換された音声信号はＤ／Ａ変換されて音声コントローラに供給されるようになっている。なお、音声処理回路は、ＭＰＥＧ２エンコーダ３２７とグラフィックコントローラ３２２との調停処理によって、音声入力端子からの音声信号と、ＴＶチューナ３２５からの音声信号とのそれぞれに対してＭＰＥＧ２エンコーダ３２７への出力と音声コントローラへの出力とを選択的なスイッチングを行って両信号の同時処理を可能に構成している。
【００６５】
上記構成により、以下、その動作を説明する。ここでは、まず、ＴＶ視聴時、録画時、録画再生時、録画予約時について簡単にその動作説明をした後に、本発明の特徴部分（例えばデバイス使用制限構成など）の動作について、図４〜図１４を参照しながら詳細に説明する。
【００６６】
ＴＶ受信時には、ＴＶチューナ３２５は、チャンネル設定信号に基づいて、所望の受信チャンネルのＴＶ信号が選択され、ビデオデコーダ３２６にてＮＴＳＣ画像信号よりデジタル画像信号に変換され、さらにグラフィックコントローラ３２２にて表示データに変換されて液晶表示パネル３１の表示画面上に表示され、ユーザによってＴＶ視聴が為される。
【００６７】
次に、録画に際しては、ＰＣにおけるＴＶ録画処理プログラムの起動に基づいて、ＴＶチューナ３２５が所望の受信チャンネルに選局され、ビデオデコーダ３２６を介し、ＭＰＥＧ２エンコーダ３２７にて、デジタル画像信号がデータ圧縮され、圧縮データがＵＳＢＩ／Ｆ３２０よりＰＣ側に送出される。
【００６８】
さらに、ＰＣ側においては、ＵＳＢＩ／Ｆ２１を経由して入力された圧縮データは、所望の属性情報と共にＰＣ内のＨＤＤ２３に順次記憶される。
【００６９】
次に、録画再生時には、ＰＣにおけるＴＶ録画再生処理プログラムの起動に基づいて、ＰＣ内のＭＰＥＧ２デコードプログラム（またはＭＰＥＧ２デコーダ回路）により、ＨＤＤ２３内に記憶されている圧縮データが順次呼び出されて解凍処理され、さらにＭＰＥＧ１デコードプログラムまたはＭＰＥＧ１デコーダ回路により音声データも解凍処理される。なお、音声データの解凍処理はこれに限らず、ＰＣ内のＭＰＥＧ２デコードプログラムまたはＭＰＥＧ２デコーダ回路によっても音声データの解凍処理は可能である。本実施形態では、音質を高めるためにＭＰＥＧ１デコードプログラムまたはＭＰＥＧ１デコーダ回路を用いている。
【００７０】
解凍されたアナログＲＧＢの表示データは、表示ＲＧＢＩ／Ｆ２２からモニタ装置３０側のＡ／Ｄ変換装置３２１、グラフィックコントローラ３２２を経由して液晶表示パネル３１の表示画面上に映出される。また同様に、音声データは、モニタ装置３０側の音声入力端子（図示せず）に入力し、所定の回路を経由してスピーカより、表示画像と同期して音声再生出力が為される。
【００７１】
次に、録画予約をする場合には、ＰＣにおけるＴＶ録画処理プログラムに基づいて、モニタ装置３０に表示するＧＵＩ情報と連動して、録画設定情報、例えば録画開始・終了時刻、録画チャンネル、録画密度などを入力設定し、それが、ＰＣ内の録画管理プロセスにてＨＤＤ２３に保存される録画情報例えば録画開始・終了時刻、録画チャンネル、録画密度等を設定して、ＰＣ内の録画管理プロセスに保存される。この録画情報に従ってモニタ装置３０とＰＣとの調停により前述した録画処理が起動される。
【００７２】
即ち、録画開始時刻になると、録画終了時刻まで、録画予約の録画設定情報に従ってモニタ装置３０とコンピュータ本体２０（ＰＣ）との調停により、制御手段３３０が、ＴＶチューナ３２５に対して録画チャンネルを選局制御したり、ＭＰＥＧ２エンコーダ３２７に対してＴＶ画像のエンコードを指示するなど、ＴＶチューナ３２５、ビデオデコーダ３２６、ＭＰＥＧ２エンコーダ３２７さらにはＵＳＢＩ／Ｆ３２０を起動させて録画処理を行う。
【００７３】
ここで、本発明の特徴部分（例えばデバイス使用制限構成など）の動作について、図４〜図１４を参照しながら詳細に説明するが、その説明を簡略化するために、図３の各構成を簡略化して説明することにする。
【００７４】
例えば図５において、モニタ装置３０は、主にＰＣからの画像信号を表示することを目的としたディスプレイモニタであるが、ＰＣからの録画再生画像を表示する以外に、ＰＣから利用できるＴＶチューナ３２５などのデバイスを内蔵するものである。このモニタ装置３０がデータ通信手段を介して接続されるコンピュータ本体２０は、ＰＣなどの情報処理装置（情報機器）であるが、モニタ装置３０に内蔵されているデバイスを利用することができるものである。データ通信手段はＵＳＢＩ／Ｆの他、ＩＰ／Ｅｔｈｅｒｎｅｔなどが考えられる。制御部１は、電源コントローラ３２８およびデバイス使用制御回路３２９で構成されており、後述するデバイス２の使用状況を調べ、その使用状況に応じてデバイス使用制御を変更可能とするものである。デバイス２はモニタ装置３０もＰＣも利用可能な例えばＴＶチューナ３２５やＭＰＥＧ２エンコーダ３２７などである。表示部３は画像信号を受けて、実際に表示画面（ディスプレイ）上に画像表示するモニタ装置３０内の表示関連ユニットである。電源装置４は、モニタ装置３０に電源供給するためのものであり、デバイス２とそれ例外とに対して別々に電源供給するように構成してもよいが、ここでは、その説明を簡略化するために共通電源とする。例えば図７のストレージ５は、デバイス２の動作状態を記憶する動作状態記憶手段である。
【００７５】
これらを用いて、次の表２に示すように、まず、フロー１（図４）として、ＰＣ側からデバイスを使用する場合のシステム動作（図５）、電源投入動作（図６）、ストレージを使用する場合の動作（図７）について順次詳細に説明する。
【００７６】
次に、モニタ装置３０側からデバイスを使用する場合のフロー２（図８）、モニタ装置３０の電源を落とす場合のフロー３（図１０）、モニタ装置３０側からデバイスの設定を変更する場合のフロー４（図１２）、ＰＣ側からデバイスの設定を変更する場合のシステム動作場合のフロー５（図１４）について順次詳細に説明する。
【００７７】
【表２】
0004798676.tif 000003
図４は、図１のＰＣ側からデバイスを使用する場合のシステム動作を詳細に示したフローチャート、図５はＰＣがデバイスを使用する場合のシステム動作説明用のブロック図、図６は電源投入処理を行う場合のシステム動作説明用のブロック図、図７はストレージを使用する場合のシステム動作説明用のブロック図である。
【００７８】
図４〜図７に示すように、ＰＣからモニタ装置３０の制御部１にデバイス２の使用要求を送信する（ステップＳ１−１）。制御部１は、常時通電部１１０以外のデバイス２および表示部３に対して電源供給が為されているかどうかの電源調査を行う（ステップＳ１−２）。デバイス２に電源供給が為されていない場合、制御部１から「電源供給されていない」という内容の返答情報がＰＣ側に送信されるが、一定時間返答がないことでＰＣ側が容易に判別できる。ＰＣは、モニタ装置３０に電源供給が為されていない場合は、データ通信手段を通して、モニタ装置３０に電源供給を要求する信号を送信する（ステップＳ１−３）。制御部１がデバイス２を含むモニタ装置３０に電源コントローラ３２８を介して電源を投入するように制御する（ステップＳ１−４）。なお、制御部１はデータ通信手段経由でＰＣから電源を供給しておくかまたは制御部１のみ常に通電しておく。
【００７９】
その後、モニタ装置３０からＰＣにデバイス２の使用可能信号を送信する（ステップＳ１−５）。制御部１は、電源供給の要求がＰＣから送られると、電源装置からデバイスに電源を供給することにより、ＰＣからデバイス２の駆動制御が為される（ステップＳ１−６）。例えば、ＰＣからのデバイス２の使用が録画処理の場合には、デバイス２としてのＴＶチューナ３２５に選局制御が為され、ＭＰＥＧ２エンコーダ３２７に圧縮データのエンコード指令が為され、ＵＳＢＩ／Ｆ３２０に圧縮データの送信指令が為される。
【００８０】
一方、ステップＳ１−２で、デバイス２に電源供給が為されている場合、制御部１は、制御部１内のストレージ５に保持した表１に対応した動作状態データを参照することにより、デバイス２の使用状況の調査を行う（ステップＳ１−７）。制御部１は表示部３が使用中かどうかを、ストレージ５内の動作状態情報を参照して調べる（ステップＳ１−８）。つまり、制御部１は、デバイス２をＰＣが使用中か、モニタ装置３０が使用中かといったデバイスの使用状況を把握する必要がある。この際、デバイス２、ＰＣや表示部３に対して、使用中がどうがの問い合わせをしていたのでは、時間がかかってしまい、非効率的である。このため、制御部１に不揮発性メモリ（例えばフラッシュメモリ、ＥＥＰＲＯＭなど）などのストレージを持っておき、そこにデバイス２の動作状況を保持しておくことで、いちいち制御部１からデバイス２への動作状況の問い合わせをしなくても、制御部１はデバイス２の使用状況を常に監視して把握することができる。
【００８１】
表示部３が使用中でない場合には、ステップＳ１−５に移行し、ＰＣにデバイス２の使用可能信号を送信する。また、表示部３が使用中の場合には、ＰＣにデバイス２の使用不可能信号を送信する（ステップＳ１−９）。つまり、デバイス２の使用状況の調査後に、表示部３が使用中の場合は表示部３が使用中で使用不可能の信号をデータ通信手段経由でＰＣ側に返し、また、表示部３が使用中ではない場合はＰＣ側に使用許可信号を渡す。
【００８２】
さらに、ＰＣからのＧＵＩ情報を表示データとして供給を受けて、ＰＣからデバイス２を使用するかモニタ装置３０からデバイス２を使用するかをユーザが選択可能とする選択表示画面を表示することにより、ユーザに強制的にデバイス２をどの機器から使用するかどうかをＰＣ上で選択させる（ステップＳ１−１０）。
【００８３】
ステップＳ１−１０でデバイス２をＰＣから強制使用しない場合には処理を終り、デバイス２をＰＣから強制使用する場合には、ＰＣから制御部１に、モニタ装置３０によるデバイス２の使用を強制中断する信号を送信する（ステップＳ１−１１）。制御部１は、これを受けて、グラフィックコントローラ３２２の入力切替え制御をし、ビデオデコーダ３２６からの入力を規制することにより、表示部３の使用を強制中断するように制御する（ステップＳ１−１２）。さらに、制御部１は、ＰＣからのＧＵＩ情報を表示データとして供給を受けて表示部３の表示画面上に表示させることにより、強制中断内容を表示部３によりユーザに視覚的に通知する。その後、ＰＣからデバイス２を使用するように制御が為される（ステップＳ１−６）。
【００８４】
このように、強制的にデバイス使用を行うかどうかのユーザによる選択表示画面上での選択指示により、ＰＣからデバイス２を使用する場合について更に説明する。
【００８５】
ＰＣに使用不可信号を渡した場合、ユーザがモニタ装置３０からのデバイス２の使用を強制的に中断させて、ＰＣからデバイス２を使用したくても、一旦、モニタ装置３０側の操作を行ってデバイス２の使用を強制中断させなければ、いつまでもＰＣからデバイス２を使用することが不可能になってしまう。これを防ぐために、制御部１はＰＣからのデバイス２の使用制限を強制的に中断する信号を受け付けるようにする。もし、モニタ装置３０がデバイス２を使用中のために、ＰＣからデバイス２を使用できない場合であっても、ユーザが強制的にＰＣからデバイス２を使うと、選択表示画面上で選択指示した場合には、ＰＣから制御部１に強制中断信号を送る。制御部１は、モニタ装置３０側のデバイス２の使用を中断させ、強制中断した通知を表示部３に送る。ＰＣは強制中断後に使用要求を制御部１に送り、ＰＣがデバイス２を使用する。
【００８６】
図８は、図１のモニタ装置３０側からデバイスを使用する場合のシステム動作を詳細に示したフローチャートであり、図９はモニタ装置３０がデバイスを使用する場合のシステム動作説明用のブロック図である。
【００８７】
図８および図９に示すように、モニタ装置３０がデバイス２を使用する場合、表示部３から制御部１にデバイス２の使用要求を送信することにより、制御部１に使用許可の問い合わせを行う（ステップＳ２−１）。制御部１は、ＰＣがデバイス２を使用中かどうかなど、デバイスの使用状況調査を行う（ステップＳ２−２）。ステップＳ２−２で、ＰＣがデバイス２を使用中ではない場合に、表示部３に使用可能信号を送信する（ステップＳ２−３）。ＰＣからデバイス２を使用するように制御が為される（ステップＳ２−４）。例えば、ＰＣからのデバイス２の使用が録画処理の場合には、デバイス２としてのＴＶチューナ３２５に選局制御が為され、ＭＰＥＧ２エンコーダ３２７にエンコード指令などが為される。
【００８８】
一方、ステップＳ２−２で、ＰＣがデバイス２を使用中の場合には、表示部３にデバイス２の使用不可能信号を送信する（ステップＳ２−５）。ユーザに強制的に使用するかどうかの選択表示画面（ＯＳＤ表示）にて選択させる（ステップＳ２−６）。ユーザがデバイス２の強制使用を選択したかどうかを判定する（ステップＳ２−７）。ユーザがモニタ装置３０側からのデバイス２の強制使用を選択しない場合には処理を終了し、また、ユーザがデバイス２の強制使用を選択した場合には、制御部１にＰＣからの使用を中断する信号を送信する（ステップＳ２−８）。制御部１は、ＰＣの使用を強制中断する（ステップＳ２−９）。さらに、制御部１は、ＰＣおよび表示部３に強制中断を通知する（ステップＳ２−１０）。
【００８９】
このように、ＰＣからのデバイス２の使用中にモニタ装置３０からデバイス２を使用する場合、選択表示画面上で、ユーザが、モニタ装置３０からデバイス２を強制的に使用すると選択した場合には、表示部３から制御部１に強制中断の信号を送り、制御部１はＰＣの使用を中断するとともに、データ通信手段経由でＰＣに中断の通知を送る。この後、表示部３は制御部１に使用要求を送り，これにより、表示部３が強制的にデバイス２を使用することができる。
【００９０】
図１０は、図１のモニタ装置３０の電源を落とす場合のシステム動作を詳細に示したフローチャートであり、図１１はモニタ装置３０の電源を落とす場合のシステム動作説明用のブロック図である。
【００９１】
図１０および図１１に示すように、表示部３から制御部１に電源断要求信号を送信する（ステップＳ３−１）。制御部１は、デバイス２の使用状況調査を行う（ステップＳ３−２）。制御部１は、ＰＣに対してＰＣがデバイス２を使用中かどうかを判定する（ステップＳ３−３）。ＰＣがデバイス２を使用中ではない場合、制御部１は、デバイス２の電源を遮断して処理を終了する（ステップＳ３−４）。
【００９２】
一方、ＰＣがデバイス２を使用中の場合には、制御部１は、表示部３に電源断不可能信号を送信する（ステップＳ３−５）。ユーザに強制的に電源を落とすかどうかをＯＳＤ選択画面表示にて選択させる（ステップＳ３−６）。ユーザが強制電源断を選択するかどうかを判定し（ステップＳ３−７）、強制電源断を選択しない場合には処理を終了し、また、ユーザが強制電源断を選択する場合には、制御部１にＰＣの使用を強制中断する信号を送信する（ステップＳ３−８）。制御部１は、ＰＣの使用を強制中断する（ステップＳ３−９）。さらに、制御部１は、表示部３およびＰＣに強制中断を通知する（ステップＳ３−１０）。
【００９３】
以上の動作を更に説明すると、モニタ装置３０の電源とデバイス２の電源とは共通または連動している場合が予想される。この場合、ＰＣがデバイス２を使用中にモニタ装置３０の電源を落そうとしたときに、ＰＣがデバイス２を使用していると、ＰＣに連絡なくデバイス２の使用が不可能になってしまい、ＰＣが誤動作を起こしてしまう危険がある。これを防ぐため、モニタ装置３０は制御部１に、電源を落とす前に制御部１にデバイス２の使用状況を確認させ、使用中の信号が返ってきた場合には、モニタ装置３０の電源遮断を制限すると共に、表示画面上に重ねて使用中のメッセージをＯＳＤ表示して、電源を落とさないようにユーザに視覚的にアピールする。
【００９４】
ＰＣが使用中であってもユーザがどうしてもモニタ装置３０の電源を落としたい場合には、例えばＯＳＤ選択表示画面上でユーザが「強制的に終了する」を選んだ場合には、ＰＣの使用を強制的に中断する信号を制御部１に送る。制御部１はＰＣからのデバイス２の使用を中断させ、表示部３およびＰＣに強制中断の通知を行い、その後、モニタ装置３０の電源を遮断するものである。
【００９５】
図１２は、モニタ装置３０側からデバイスの設定を変更する場合のシステム動作を詳細に示したフローチャートであり、図１３はモニタ装置３０側からデバイスの設定を変更する場合のシステム動作説明用のブロック図である。
【００９６】
図１２および図１３に示すように、表示部３から制御部１に設定変更要求信号を送信する（ステップＳ４−１）。制御部１は、デバイス２の使用状況調査を行う（ステップＳ４−２）。制御部１は、ＰＣに対してＰＣがデバイス２を使用中かどうかを判定する（ステップＳ４−３）。ＰＣがデバイス２を使用中ではない場合、制御部１は、表示部３に使用可能信号を送信する（ステップＳ４−４）。表示部３はデバイス２の設定を変更処理して処理を終了する（ステップＳ４−５）。
【００９７】
一方、ＰＣがデバイス２を使用中の場合には、制御部１は、表示部３に設定変更不可能信号を送信する（ステップＳ４−６）。ユーザに強制的に電源を落とすかどうかをＯＳＤ選択画面表示にて選択させる（ステップＳ４−７）。ユーザが強制変更を選択するかどうかを判定し（ステップＳ４−８）、強制変更を選択しない場合には処理を終了し、また、ユーザが強制変更を選択する場合には、制御部１に強制変更する信号を送信する（ステップＳ４−９）。制御部１は、ＰＣに強制変更を通知し（ステップＳ３−１０）、その後に、表示部３はデバイス２の設定を変更処理して処理を終了する（ステップＳ５−５）。
【００９８】
以上の動作を更に説明すると、ＴＶチューナ３２５など、ＰＣとモニタ装置３０で同時に使用できるデバイス２を内蔵したモニタ装置３０の場合、同時にデバイス２を使用中に片側で勝手に選局などの設定を変更すると、他方側で誤動作を起こし兼ねない。例えば、ＰＣでＴＶ録画中に、モニタ装置３０でも同じＴＶチューナ３２５を使用してその同じＴＶチャンネル画像を映し出しているときに、モニタ装置３０側で勝手にＴＶチャンネルを変えてしまうと、ＰＣでは意図したＴＶチャンネルと異なるＴＶチャンネルの映像を録画してしまう。これを防ぐために、モニタ装置３０とＰＣの両方からデバイス２を使用中は、デバイス２の設定を変更できないように制限する。このため、デバイス２の設定は制御部１を通して行うようにする。モニタ装置３０から設定を変更する場合は、制御部１に使用状況を確認させ、ＰＣからデバイス２が使用されてない場合のみ、制御部１は選局などの設定変更を許可する。なお、後述するが、ＰＣからも同様に、設定変更許可要求を制御部１にデータ通信手段を通して送り、制御部１は変更可能がどうかを調査し、変更を許可する。
【００９９】
また、ユーザが許可した場合は強制的に設定変更を可能にした方が、ユーザの便宜を図ることになる場合もある。この場合、例えば、モニタ装置３０からＯＳＤ選択表示画面で強制的に設定変更するようにユーザが選んだ場合、表示部３は制御部１に対して強制変更許可の信号を送り、その後、設定変更を行う。制御部１は、強制変更許可の信号を受け付けると、その直後の設定変更項目をデバイス２の使用状況を無視して設定を行い、ＰＣに対してデータ通信路経由でこれを通知する。
【０１００】
図１４は、ＰＣからデバイスの設定を変更する場合のシステム動作を詳細に示したフローチャートである。
【０１０１】
図１４に示すように、ＰＣから制御部１に設定変更要求信号を送信する（ステップＳ５−１）。制御部１は、デバイス２の使用状況調査を行う（ステップＳ５−２）。制御部１は、表示部３に対して表示部３がデバイス２を使用中かどうかを判定する（ステップＳ５−３）。表示部３がデバイス２を使用中ではない場合、制御部１は、ＰＣに使用可能信号を送信する（ステップＳ５−４）。表示部３はデバイス２の設定を変更処理して処理を終了する（ステップＳ５−５）。
【０１０２】
一方、表示部３がデバイス２を使用中の場合には、制御部１は、ＰＣに設定変更不可能信号を送信する（ステップＳ５−６）。ユーザに強制的に電源を落とすかどうかをＯＳＤ選択画面表示にて選択させる（ステップＳ５−７）。ユーザが強制変更を選択するかどうかを判定し（ステップＳ５−８）、強制変更を選択しない場合には処理を終了し、また、ユーザが強制変更を選択する場合には、制御部１に強制変更する信号を送信する（ステップＳ５−９）。制御部１は、表示部３に強制変更を通知し（ステップＳ５−１０）、表示部３はデバイス２の設定を変更処理して処理を終了する（ステップＳ５−５）。
【０１０３】
以上により、本実施形態によれば、ＰＣ側から利用できるモニタ装置３０に内蔵のＴＶチューナ３２５などのデバイスを、モニタ装置３０とＰＣの両方から使用するための排他処理を行うことにより、電源装置やＴＶチューナ３２５などのデバイスが、モニタ装置３０とＰＣの両方からの使用の競合による誤動作を防ぐことができるものである。ＰＣからのデバイス制御の場合は、データ通信手段を介してデバイス使用制御回路３２９にＴＶチューナ３２５の使用データを送り、また、モニタ装置３０からのデバイス制御の場合は、表示関連ユニット（表示部３）からデバイス使用制御回路３２９にリクエストを行い、デバイス使用制御回路３２９は現在のデバイス使用状況を調査、またはストレージに記憶しておくことで、競合発生を監視し、競合が起こる場合にはデバイス制御を制限し、競合が起こらない場合に、電源装置やＴＶチューナ３２５などのデバイスの制御を行う。このため、モニタ装置３０やＰＣの一方がＴＶチューナ３２５などのデバイスを使用中に、他方が勝手にデバイスを使い、それまで使用していた一方側が誤動作を起こしてしまうことを防止することができる。
【０１０４】
なお、上記実施形態では、特に説明しなかったが、モニタ装置３０内で、即ち上記プログラムに連動することなく独立して録画予約情報の修正、設定を可能にし、その録画予約情報をモニタ装置３０内に保存するようにし、上記ＰＣにおける録画予約情報と連動させる。ＰＣにおいて、ＴＶ録画再生処理プログラムの起動に基づき、モニタ装置３０の録画予約情報を取り込み、ＰＣ内に記憶する録画予約情報を更新し、また、前述のプログラムによって設定・修正した録画予約情報を、プログラムの終了またはＰＣの終了に連動してモニタ装置３０に送信してモニタ装置３０内の録画予約情報を更新して終了するようにしてもよい。
【０１０５】
また、録画管理情報処理プロセスには、ＰＣより受信し、またモニタ装置３０側で設定、修正された録画情報を記憶する録画情報エリアが設けられていてもよい。この録画情報は、ＯＳＤ表示プロセスで取り込まれ文字情報等の表示情報に展開されて、液晶表示パネル３１に表示が可能とされる。
【０１０６】
また、上記実施形態では、特に説明しなかったが、動作状態送信制御手段は、データ通信手段を介して、動作状態検出手段３２９Ｂが検出した動作状態情報などをＰＣ側に送信制御するようにしてもよい。この場合に、ＰＣ側においてモニタ装置３０側のデバイス（ＴＶチューナ３２５など）の動作状態情報が得られるので、ＰＣ側にて何らかの使用制限処置を講じることができる。
【０１０７】
さらに、上記実施形態では、ＴＶチューナ３２５からの受信信号はビデオデコーダ３２６を介してＭＰＥＧ２エンコーダ３２７に入力するようにしたが、これに限らず、ＴＶチューナ３２５からの受信信号をビデオデコーダ３２６を介さず直にＭＰＥＧ２エンコーダ３２７に入力するようにしてもよい。
【０１０８】
さらに、上記実施形態では、本発明の適用対象として、録画再生システムについて説明したが、録画再生システムに限らない。
【０１０９】
【発明の効果】
以上のように、本発明によれば、情報機器または表示装置がデバイスを使用する場合に、これを検出してデバイスの動作状態を検出し、その動作状態の検出結果に応じてデバイスの使用を制限するため、情報機器と表示装置との間でデバイスの使用が競合しても、後から使用が発生した情報機器または表示装置によるデバイスの使用が制限されてそれによる誤動作を防止することができる。
【０１１０】
また、動作状態として、デバイスに電源が供給されているかどうかを調べ、デバイスに電源が供給されていない場合には、デバイスを使用する情報機器や本表示装置側で誤動作を起こしてしまう。また、デバイスに電源が供給されていても、本表示装置がデバイスを使用していた場合には、勝手に情報機器側からデバイスを使用してしまうと、本表示装置側で誤動作を起こしてしまうし、逆に、情報機器がデバイスを使用していた場合には、デバイスを本表示装置が使用してしまうと、情報機器側で誤動作を起こしてしまう。このように、デバイスの使用が競合するときに、後から使用が発生した情報機器または表示装置によるデバイスの使用を制限すれば、使用競合による誤動作を防止することができる。
【０１１１】
さらに、デバイスが情報機器からも使用が可能な場合に、表示装置内のデバイスに電源を外部から投入することができ、デバイスに電源が投入されていないことによる誤動作を防止することができる。
【０１１２】
さらに、情報機器側において表示装置側のデバイスの動作状態情報が得られるため、情報機器側にて使用制限処置を講じることができる。
【０１１３】
さらに、ユーザに対して、デバイスの使用権を情報機器と表示装置の何れに持たせるかの選択権を与え、ユーザの便宜を図ることができる。
【０１１４】
さらに、デバイスの動作状況を監視する際に、動作状態検出必要時に監視を行ったのでは時間がかかってしまうため、動作状態検出手段が、常時、動作状態を検出して動作状態記憶手段にその動作状態を記憶し、それを参照するようにすれば、使用制限手段の使用制限速度が速くかつ正確であり使用制限制御の効率化を図ることができる。
【０１１５】
さらに、デバイスは表示装置に内蔵されているため、表示装置の電源とデバイスの電源とが連動している場合が多い。この場合に、情報機器がデバイスを使用しているときに表示装置の電源を切にしてしまうと、情報機器が誤動作を起こしてしまうが、表示装置側の電源遮断指示時に、情報機器側がデバイスを使用していれば、その電源遮断を制限するようにすれば、情報機器が誤動作するのを防止することができる。
【０１１６】
さらに、デバイスの使用状況によってはユーザの便宜を損ねてしまう可能性があるため、電源を強制的に切にするかどうかの選択権をユーザに与えることで、ユーザに対して便宜を図ることができる。
【０１１７】
さらに、例えば、ＴＶ受信手段からのＴＶ受信信号を表示画面上に表示すると共に、ＴＶ受信信号を録画用に画像圧縮している場合であって、デバイスとしてＴＶ受信手段を情報機器と表示装置とで共通して使用している際に、情報機器と表示装置との一方が勝手にデバイスの設定変更を指示した場合に、その設定変更に制限を加えるようにしたため、他方が誤動作することを防止することができる。
【０１１８】
さらに、ユーザに対して強制的にデバイスの設定を変える選択権を与えることができ、ユーザの便宜を図ることができる。
【０１１９】
さらに、録画のために、情報機器または表示装置が表示装置内のデバイスを使用する場合にも、上記と同様に、これを検出してデバイスの動作状態を検出し、その検出結果に応じてデバイスの使用を制限するため、情報機器との間でデバイスの使用が競合しても、後から使用が発生した情報機器または表示装置によるデバイスの使用が制限されて誤動作を防止することができる。
【図面の簡単な説明】
【図１】本発明の一実施形態における録画再生システムの外観構成を示す斜視図である。
【図２】図１のコンピュータ表示端末装置の断面図である。
【図３】図１の録画再生システムの要部ハード構成を示すブロック図である。
【図４】図１のＰＣ側からデバイスを使用する場合のシステム動作を詳細に示したフローチャートである。
【図５】図１のＰＣがデバイスを使用する場合のシステム動作説明用のブロック図である。
【図６】電源投入処理を行う場合のシステム動作説明用のブロック図である。
【図７】ストレージを使用する場合のシステム動作説明用のブロック図である。
【図８】図１のモニタ装置側からデバイスを使用する場合のシステム動作を詳細に示したフローチャートである。
【図９】図１のモニタ装置がデバイスを使用する場合のシステム動作説明用のブロック図である。
【図１０】図１のモニタ装置の電源を落とす場合のシステム動作を詳細に示したフローチャートである。
【図１１】図１のモニタ装置の電源を落とす場合のシステム動作説明用のブロック図である。
【図１２】図１のモニタ装置側からデバイスの設定を変更する場合のシステム動作を詳細に示したフローチャートである。
【図１３】図１のモニタ装置側からデバイスの設定を変更する場合のシステム動作説明用のブロック図である。
【図１４】図１のＰＣ側からデバイスの設定を変更する場合のシステム動作説明用のブロック図である。
【符号の説明】
１    制御部
２    デバイス
３    表示部
４    電源装置
５    ストレージ
１０    録画再生システム
２０    コンピュータ本体（ＰＣ）
２１    ＵＳＢＩ／Ｆ
２２    表示ＲＧＢＩ／Ｆ
３０    モニタ装置
３１    液晶表示パネル
３２    モニタ制御装置
４０    コンピュータ信号ケーブル
１１０    常時通電部
３２０    ＵＳＢＩ／Ｆ
３２２    グラフィックコントローラ
３２３    ＬＣＤドライバ
３２５    ＴＶチューナ
３２６    ビデオデコーダ
３２７    ＭＰＥＧ２エンコーダ
３２８    電源コントローラ
３２９    デバイス使用制御回路
３２９Ａ    データ通信手段
３２９Ｂ    動作状態検出手段
３２９Ｃ    使用制限手段
３２９Ｄ    使用制限解除手段
３３０    制御手段
３３０Ａ    選局制御手段
３３０Ｂ    データ通信手段
３３０Ｃ    表示制御手段
３３１    メモリ
【図１】
0004798676.tif 000004
【図２】
0004798676.tif 000005
【図３】
0004798676.tif 000006
【図４】
0004798676.tif 000007
【図５】
0004798676.tif 000008
【図６】
0004798676.tif 000009
【図７】
0004798676.tif 000010
【図８】
0004798676.tif 000011
【図９】
0004798676.tif 000012
【図１０】
0004798676.tif 000013
【図１１】
0004798676.tif 000014
【図１２】
0004798676.tif 000015
【図１３】
0004798676.tif 000016
【図１４】
0004798676.tif 000017